(57)【要約】【課題】竿管の後端部を握っての操作が安定し、尻栓の後端部当接による緩みを防止できるとともに、立てかけても安定して保持できる釣り竿を提供すること。【解決手段】尻栓１９においては、尻栓本体１９１の内側筒部１９１ｅ内に回転可能に挿入された回転部材１９３が竿管の軸方向を中心として回転する。回転面１９４は、実釣時に釣り人の身体に当接して、釣り操作に応じて回転するので、釣り操作中に尻栓１９が竿管から緩むことを防止でき、回転部材１９３が回転する際に釣り人の衣服などが回転部材１９３と外側部材１９２との間に噛み込み難く、尻栓後端部を支持した操作を容易に行うことができる。このような尻栓１９を備えた釣り竿１を壁２０と地面２１に立てかけた場合、回転部材１９３が地面２１に当接しないので、安定して釣り竿１を立てかけることが可能となる。【選択図】図４
2007228857.tif 000002
【特許請求の範囲】
【請求項１】
竿管と、前記竿管の後端部に着脱可能に取り付けられる尻栓と、を具備する釣り竿であって、前記尻栓は、前記竿管の前記後端部に螺合され得る螺合部を有する尻栓本体と、前記尻栓本体の後端面部で露出する面を有し、前記竿管の軸を中心に回動可能に前記尻栓本体に取り付けられた回転部材と、を備えたことを特徴とする釣り竿。
【請求項２】
前記回転部材は、前記面が前記尻栓本体の後端面部から突出するように前記尻栓本体に取り付けられたことを特徴とする請求項１記載の釣り竿。
【発明の詳細な説明】
【技術分野】
【０００１】
本発明は、竿管の後端部に着脱可能に装着される尻栓を備えた釣り竿に関する。
【背景技術】
【０００２】
一般的に、振り出し式の釣り竿の後端部には、元竿管内に、それよりも先にある竿管を収納できるように尻栓が着脱可能に取り付けられている。通常、この尻栓は、元竿管の後端内周面に形成された雌ネジ部に螺合することで着脱可能に装着されており、収納される竿管のストッパとしての機能を備えると共に、それを取り外すことで、メンテナンス時などにおいては各竿管を元竿管後端側から取り出すことを可能にしている。
【０００３】
ところで、上記した尻栓は、元竿管に対して螺合によって連結されていることから、実釣時において、釣り竿の動きにより釣り人の肘や腹で回動して弛緩することがある。このため、尻栓は、このような実釣時における釣り竿の動きがあっても元竿管に対して容易に緩まない構成であることが好ましい。
【０００４】
特許文献１には、釣り竿の操作性を向上させるために、尻栓本体に外嵌する回転部材を形成した尻栓を備えた釣り竿が開示されている。また、特許文献２には、竿後端を身体に当接して操作する際に尻栓が緩むことを防止し、釣り竿の操作性を向上させるために、尻栓の後端部から一部露出させた球体を備えた釣り竿が開示されている。
【特許文献１】実公平３−１０８５３号公報
【特許文献２】特許開２００４−１３５６３３号公報
【発明の開示】
【発明が解決しようとする課題】
【０００５】
しかしながら、特許文献１に開示された釣り竿は、回転部材が外嵌するので握りにくい。また、投擲時などに回転部材を握って操作する場合に、回転部材の回転を止めるために竿管を強く握り込む必要がある。そして、この場合、竿管を強く握り込めないと、回転部材が回転してしまい安定した投擲を行うことができない。さらに、この釣り竿は、壁などに立てかけると、回転部材が回転して倒れてしまい、立てかけて保持することができない。
【０００６】
特許文献２に開示された釣り竿は、尻栓に球体を備えているので、釣り竿を回転させる以外に上下左右に操作することが可能になるが、球体であるために、身体に対する当接部が動き易く、魚の引きなどに対応する際にも、当接部を支点として操作することが難しく操作性に劣る。また、球体は、尻栓本体との間の隙間に引き込む方向にも動くので、釣り人の衣服を噛み込んだり、ゴミなどを引き込んでしまう恐れがある。このように衣服を噛み込んだり、ゴミが入り込むと球体の回転操作が不安定となる。さらに、球体を用いているために、身体との当接部は竿管の後端面の中心になってしまい、その中心部でしか回転を行うことができない。このため、竿管の後端面の中心からずれた位置で身体と当接する場合には、釣り竿の回転により尻栓が緩んでしまうという問題がある。
【０００７】
本発明はかかる点に鑑みてなされたものであり、竿管の後端部、特に尻栓の後端部を握っての操作が安定し、尻栓の後端部当接による緩みを防止できるとともに、立てかけても安定して保持できる釣り竿を提供することを目的とする。
【課題を解決するための手段】
【０００８】
本発明の釣り竿は、竿管と、前記竿管の後端部に着脱可能に取り付けられる尻栓と、を具備する釣り竿であって、前記尻栓は、前記竿管の前記後端部に螺合され得る螺合部を有する尻栓本体と、前記尻栓本体の後端面部で露出する面を有し、前記竿管の軸を中心に回動可能に前記尻栓本体に取り付けられた回転部材と、を備えたことを特徴とする。
【０００９】
この構成によれば、尻栓本体の後端面部内に回転可能に挿入された回転部材が竿管の軸方向を中心として回転する。このため、回転部材の面が竿管の軸方向を中心として回転する。この面は、実釣時に釣り人の身体、例えば肘、胸、腹に当接して、釣り操作に応じて回転する。これにより、釣り操作中に尻栓が竿管から緩むことを防止できる。特に、回転部材は、面で釣り人の身体に当接させるので、回転部材と身体との間の接触面積を広く確保することが可能となる。このため、回転部材が釣り操作に確実に追従することができるので、より効果的に尻栓の緩みを防止することが可能となる。また、回転部材が竿管の軸方向を中心に回転するので、回転部材が回転する際に釣り人の衣服などが噛み込み難く、尻栓後端部を支持した操作を容易に行うことができる。さらに、このような尻栓を備えた釣り竿を立てかけた場合、安定して釣り竿を立てかけることが可能となる。
【００１０】
本発明の釣り竿においては、前記回転部材は、前記面が前記尻栓本体の後端面部から突出するように前記尻栓本体に取り付けられたことが好ましい。この構成によれば、このように面が尻栓本体の後端面部の位置から突出していることにより、釣り竿操作時に面を身体に当接させることが容易となり、尻栓が竿管に対して緩んでしまうことを確実に防止できる。
【発明の効果】
【００１１】
本発明の釣り竿は、竿管と、前記竿管の後端部に着脱可能に取り付けられる尻栓と、を具備する釣り竿であって、前記尻栓は、前記竿管の前記後端部に螺合され得る螺合部を有する尻栓本体と、前記尻栓本体の後端面部で露出する面を有し、前記竿管の軸を中心に回動可能に前記尻栓本体に取り付けられた回転部材と、を備えたので、竿管の後端部、特に尻栓後端部を握っての操作が安定し、尻栓後端部当接による緩みを防止できるとともに、立てかけても安定して保持することができる。
【発明を実施するための最良の形態】
【００１２】
以下、本発明の実施の形態について、添付図面を参照して詳細に説明する。
図１は、本発明の実施の形態に係る釣り竿の一例を示す図である。図１に示す釣り竿１は、元竿管１０、元竿管１０に対して順次収納される振り出し式の中竿管１１〜１３、及び穂先竿管１４を備えて構成されている。元竿管１０には、リールシート１０ａが形成されており、このリールシート１０ａの載置面にリール１５の脚が着脱自在に取り付けられる。また、元竿管１０には、釣り糸導入部１７が設けられている。また、穂先竿管１４の先端側にはトップガイド１６が取り付けられている。元竿管１０の後端部には、順次収納される中竿管１１〜１３及び穂先竿管１４を抜け止めすると共に、後方側から取り出し可能にする尻栓１９が着脱可能に装着されている。
【００１３】
この釣り竿１においては、リール１５に巻かれた釣り糸１８が釣り糸導入部１７から中竿の内部を挿通してトップガイド１６に案内されて導出されるようになっている。なお、本実施の形態においては、釣り竿が、いわゆる中通し竿である場合について説明しているが、本発明においては、釣り竿が、竿管外側に設けた釣り糸ガイドにより釣り糸を案内する外ガイドタイプの釣り竿や、リールを用いない鮎竿、渓流竿などであっても良い。上記したように振り出し式に構成される釣り竿１を構成する各竿管は、例えば、強化繊維に合成樹脂を含浸させたプリプレグシートを芯金に巻回し、その後、熱硬化して脱芯することにより作製することが可能である。
【００１４】
図２は、図１に示す釣り竿において尻栓が装着される部分を示す部分拡大図である。図３は、図２に示す尻栓を後端面部側から見たときの図である。図２に示す尻栓１９は、尻栓本体１９１と、尻栓本体１９１の外側に取り付けられた外側部材１９２と、尻栓１９の後端面部で露出する回転面１９４を有する回転部材１９３とを備える。これらの取り付け状態については後述する。
【００１５】
外側部材１９２は、元竿管１０の外径と略同じ外径を有する。これにより、釣り人が握ったときに、尻栓１９を意識することなく、違和感が無い状態で握ることができる。
【００１６】
回転部材１９３は、回転面１９４が尻栓１９の後端の位置の後端面部Ａで露出するように延在している。後端面部Ａとは、本実施の形態において、図３に示す状態で視認される外側部材１９２の端面である。また、露出するとは、後端面部Ａと少なくとも面一の状態か、又は突出する状態をいう。このように回転面１９４が尻栓１９の後端の位置の後端面部から露出していることにより、釣り竿操作時に回転面１９４を身体に当接させることができ、尻栓１９が元竿管１０に対して緩んでしまうことを防止できる。また、突出させることにより、身体に当接させることが容易となり、尻栓１９が元竿管１０に対して緩んでしまうことを確実に防止できる。また、この突出量は、釣り竿１を図６に示すように立てかけたときに、外側部材１９２が地面２１に接地するように設定することが望ましい。なお、この突出量ｔは、外径が約２０ｍｍ〜約２６ｍｍ程度の元竿管の場合、約１〜３ｍｍであることが好ましい。
【００１７】
図３に示すように、後端面部Ａを形成する外側部材１９２の外径Ｄ1と、回転部材１９３の外径Ｄ2とは、１／２Ｄ1＜Ｄ2であることが好ましい。このように設定することにより、尻栓１９の外周縁のより近い位置に回転部材１９３を配置することが可能となる。その結果、尻栓１９の緩みをより確実に防止することができる。また、図２に示すように、外側部材１９２と回転部材１９３との間の距離Ｄ3は、回転面１９４が尻栓１９の後端面部Ａからの突出量ｔよりも長く設定することが好ましい。これにより、釣り竿を立てかけたときに、回転部材１９３により回転してしまうことをより確実に防止することができる。さらに、図２に示すように、外側部材１９２及び回転部材１９３の仮想接線Ｌ1と元竿管１０の軸方向Ｌ2とのなす角θ1と、釣り竿を立てかけた際の仮想載置面Ｐと元竿管１０の軸方向Ｌ2とのなす角θ2との関係は、θ1＞θ2であることが好ましい。これにより、釣り竿を立てかけたときに、回転部材１９３により回転してしまうことをより確実に防止することができる。
【００１８】
図４は、図３におけるIV−IV線に沿う断面図である。また、図５は、尻栓１９を示す分解斜視図である。尻栓１９は、元竿管１０の後端部１０ｂに螺合され得る螺合部を有する尻栓本体１９１と、尻栓本体１９１の後端側に取り付けられた外側部材１９２と、外側部材１９２の後端面内で露出する回転面１９４を有し、元竿管１０の軸を中心に回動可能に尻栓本体１９１に取り付けられた回転部材１９３とから主に構成されている。
【００１９】
尻栓本体１９１は、略円筒形状を有しており、外側筒部１９１ａを有しており、外側筒部１９１ａの外周面には、雄螺子部１９１ｂが形成されている。また、尻栓本体１９１は、雄螺子部１９１ｂの元側に所定の間隔をおいてフランジ部１９１ｃが設けられている。また、このフランジ部１９１ｃと連接するようにして係合部１９１ｄが設けられている。したがって、フランジ部１９１ｃと係合部１９１ｄとの連接領域は、図４に示すように、断面略コの字形状となっている。また、尻栓本体１９１の中央には、内側筒部１９１ｅが設けられている。この内側筒部１９１ｅの内周面には、薄肉部１９１ｆが設けられている。尻栓本体１９１を構成する材料としては、ＳＵＳ、アルミ合金、真鍮、チタンなどの金属材料、ＡＢＳ樹脂、ナイロン、ポリアセタール樹脂などの硬質な合成樹脂材料、あるいはセラミックスなどが挙げられる。
【００２０】
外側部材１９２は、略リング形状を有しており、その内周面には、尻栓本体１９１の係合部１９１ｄと係合するように内側に延在した係止部１９２ａが設けられている。外側部材１９２を構成する材料としては、握持性や耐衝撃性を考慮して、ゴムやエラストマーなどの弾性材料であることが好ましい。また、尻栓本体１９１と外側部材１９２とを同じ材料で一体に形成しても良い。
【００２１】
回転部材１９３は、元竿管１０の軸方向に延在する軸承部１９３ａが設けられている。この軸承部１９３ａの先端側には、尻栓本体１９１の薄肉部１９１ｆと係合する拡径部１９３ｂが設けられており、この拡径部１９３ｂは、抜け防止部として機能する。また、回転部材１９３の回転面１９４は、釣り人の身体に当接させることや竿管の周方向のみに回転させることを考慮して、平面又は凸曲面であることが好ましい。
【００２２】
尻栓本体１９１は、元竿管１０の後端部１０ｂの内周面に形成された雌螺子部１０ｃと外側筒部１９１ａの雄螺子部１９１ｂとが螺合することにより螺着される。元竿管１０の後端面と尻栓本体１９１のフランジ部１９１ｃとの間には、Ｏリング１９５のようなゴムリングが介挿されている。尻栓本体１９１のフランジ部１９１ｃの係合部１９１ｄと外側部材１９２の係止部１９２ａとが係合することにより、尻栓本体１９１のフランジ部１９１ｃの後端側に外側部材１９２が取り付けられている。外側部材１９２は、例えば、接着などによりフランジ部１９１ｃの後端側に取り付けられる。さらに、回転部材１９３の軸承部１９３ａが尻栓本体１９１の内側筒部１９１ｅ内に挿入され、拡径部１９３ｂが内側筒部１９１ｅの薄肉部１９１ｆと係合することにより、回転部材１９３が尻栓本体１９１に取り付けられている。このように、拡径部１９３ｂが薄肉部１９１ｆに係合することにより、回転部材１９３が尻栓本体１９１から抜け落ちることを防止できる。また、拡径部１９３ｂを有する軸承部１９３ａは、図５に示すように、スリ割り構造を有することが好ましい。これにより、軸承部１９３ａを尻栓本体１９１の内側筒部１９１ｅに嵌合させることが容易となる。
【００２３】
尻栓本体１９１の内側筒部１９１ｅと回転部材１９３の軸承部１９３ａとの間には、所定のクリアランスが設けられており、尻栓本体１９１に対して回転部材１９３が少ない摩擦抵抗で回転できるようになっている。また、回転部材１９３の回転面１９４の裏側の面１９３ｃは、回転部材１９３の回転の際に、尻栓本体１９１の係合部１９１ｄと摺動する。このため、この面１９３ｃと係合部１９１ｄとの間に潤滑剤を介在させても良い。また、尻栓本体１９１を構成する材料と、回転部材１９３を構成する材料とを同質の材料、例えばポリアセタール樹脂のような硬質な合成樹脂材料とすることにより、回転部材１９３の回転時の摺動抵抗を低減することができる。
【００２４】
本実施の形態においては、軸承部１９３ａと拡径部１９３ｂとの軸方向長さが回転部材１９３の外径よりも長く形成されている。このため、軸承部１９３ａの傾きを相対的に小さくすることができ、これにより、回転部材１９３の回転を安定させることができる。その結果、回転部材１９３のブレを少なくすることができる。
【００２５】
尻栓本体１９１の外側筒部１９１ａの先端側には、略円盤状の緩衝部材１９６が配置されている。具体的には、外側筒部１９１ａの先端側の内周面に拡径部が形成されており、この拡径部に緩衝部材１９６が嵌め込まれている。そして、尻栓本体１９１の内側筒部１９１ｅの先端１９１ｇで緩衝部材１９６を支持している。この緩衝部材１９６は、振り出し式釣り竿の収納時に、中竿１１〜１３の後端を受ける。緩衝部材１９６の材料としては、ゴムなどの弾性材料が挙げられる。
【００２６】
このような構成の尻栓１９は、次のようにして組み立てることにより構成される。図５に示すように、まず、尻栓本体１９１のフランジ部１９１ｃの係合部１９１ｄと外側部材１９２の係止部１９２ａとを係合させて、尻栓本体１９１のフランジ部１９１ｃの後端側に外側部材１９２を取り付ける。次いで、尻栓本体１９１の外側筒部１９１ａの先端側の内周面に形成された拡径部１９１ｈに緩衝部材１９６を嵌め込み、尻栓本体１９１の内側筒部１９１ｅの先端１９１ｇで緩衝部材１９６を支持する。次いで、拡径部１９３ｂを内側筒部１９１ｅの薄肉部１９１ｆに係合するまで、回転部材１９３の軸承部１９３ａを尻栓本体１９１の内側筒部１９１ｅ内に挿入して、回転部材１９３を外側部材１９２の内側に位置するように尻栓本体１９１に取り付ける。その後、元竿管１０の後端面と尻栓本体１９１のフランジ部１９１ｃとの間に、Ｏリング１９５を配置して、元竿管１０の後端部１０ｂの内周面に形成された雌螺子部１０ｃと外側筒部１９１ａの雄螺子部１９１ｂとを螺合させて尻栓本体１９１を元竿管１０に螺着する。
【００２７】
上記構成を有する尻栓１９においては、尻栓本体１９１の内側筒部１９１ｅ内に回転可能に挿入された回転部材１９３が竿管の軸方向を中心として回転する。このため、回転部材１９３の回転面１９４が竿管の軸方向を中心として回転する。この回転面１９４は、実釣時に釣り人の身体、例えば肘、胸、腹に当接して、釣り操作に応じて回転する。これにより、釣り操作中に尻栓１９が竿管から緩むことを防止できる。特に、回転部材１９３は、回転面１９４で釣り人の身体に当接させるので、回転部材１９３と身体との間の接触面積を広く確保することが可能となる。このため、回転部材１９３が釣り操作に確実に追従することができるので、より効果的に尻栓１９の緩みを防止することが可能となる。また、回転部材１９３が竿管の軸方向を中心に回転するので、回転部材１９３が回転する際に釣り人の衣服などが回転部材１９３と外側部材１９２との間に噛み込み難く、外側部材１９２の内側に位置するので、尻栓後端部を支持した操作を容易に行うことができる。さらに、図６に示すように、このような尻栓１９を備えた釣り竿１を壁２０と地面２１に立てかけた場合、竿管に対して固定されている外側部材１９２、すなわち竿管に螺合された尻栓本体１９１に固着された外側部材１９２が地面２１に当接する。したがって、回転部材１９３が地面２１に当接しないので、安定して釣り竿１を立てかけることが可能となる。これにより、作業場所を不必要にとらなくて済むので、釣り全体の操作性を向上させることができる。なお、外側部材１９２は、尻栓本体１９１と一体に形成しても良い。
【００２８】
本発明は上記実施の形態に限定されず、種々変更して実施することが可能である。例えば、図７に示すように、緩衝部材１９６を尻栓本体１９１の内側筒部１９１ｅの先端１９１ｇで支持するのではなく、内側筒部１９１ｅと緩衝部材１９６との間にスペーサ１９７を介在させても良い。このようにスペーサ１９７を介在させることにより、尻栓本体１９１のフランジ部１９１ｃと回転部材１９３との間に隙間を形成することが可能となる。これにより、回転部材１９３の回転を円滑にすることができる。スペーサ１９７を構成する材料としては、例えばポリアセタール樹脂のような硬質な合成樹脂材料を挙げることができる。
【００２９】
また、図８に示すように、回転部材１９３が尻栓本体１９１のフランジ部１９１ｃと当接する部分（摺動部）を凸曲面１９３ｄとしても良い。これにより、フランジ部１９１ｃと凸曲面１９３ｄとをより少ない面積で接触させることができ、回転部材１９３が尻栓本体１９１に対して摺動する際の摩擦を低減させることができる。
【００３０】
さらに、図９（ａ），（ｂ）に示すように、回転部材１９３が尻栓本体１９１のフランジ部１９１ｃと当接する部分（摺動部）を複数の突起１９３ｅとしても良い。これにより、フランジ部１９１ｃと突起１９３ｄとの間の接触面積を小さくすることができ、回転部材１９３が尻栓本体１９１に対して摺動する際の摩擦を低減させることができる。
【００３１】
また、上記実施の形態における数値、材質、形状、取り付け構造などについては一例であり、適宜変更して実施することが可能である。その他、本発明の技術的思想を逸脱しない範囲内で適宜変更して実施することが可能である。
【図面の簡単な説明】
【００３２】
【図１】本発明の実施の形態に係る釣り竿の一例を示す図である。
【図２】図１に示す釣り竿において尻栓が装着される部分を示す部分拡大図である。
【図３】図２に示す尻栓を竿管の後端面部側から見たときの図である。
【図４】図３におけるIV−IV線に沿う断面図である。
【図５】本発明の釣り竿における尻栓を示す分解斜視図である。
【図６】本発明の釣り竿を立てかけた状態を示す図である。
【図７】本発明の実施の形態に係る釣り竿の尻栓の他の例を示す図である。
【図８】本発明の実施の形態に係る釣り竿の尻栓の他の例を示す図である。
【図９】（ａ），（ｂ）は、本発明の実施の形態に係る釣り竿の尻栓の他の例を示す図である。
【符号の説明】
【００３３】
１  釣竿
１０  元竿管
１１〜１３  中竿管
１４  穂先竿管
１５  リール
１８  釣り糸
１９  尻栓
１９１  尻栓本体
１９２  外側部材
１９３  回転部材
１９４  回転面
【図１】
2007228857.tif 000003
【図２】
2007228857.tif 000004
【図３】
2007228857.tif 000005
【図４】
2007228857.tif 000006
【図５】
2007228857.tif 000007
【図６】
2007228857.tif 000008
【図７】
2007228857.tif 000009
【図８】
2007228857.tif 000010
【図９】
2007228857.tif 000011